(57)【特許請求の範囲】
【請求項１】
上下一対の横枠材と左右一対の縦枠材とを枠組みした内部に面材を支持する面材支持構造であって、
前記横枠材および縦枠材のうち、一方の枠材には、前記面材の端縁を保持する第１面材保持部が設けられ、他方の枠材には、前記面材の他の端縁を保持する第２面材保持部と、前記他方の枠材と一体に形成されて見込み方向に延びる見込み面部とが設けられ、
前記第１面材保持部は、前記一方の枠材と一体かつ当該一方の枠材の長手方向に沿った溝状に形成され、
前記第２面材保持部は、前記他方の枠材と一体かつ前記見込み面部の見込み方向端部から見付け方向内側に延びて形成されて前記面材の一側面に当接する保持本体部と、前記保持本体部に設けられた係合部と、前記他方の枠材と別体に形成されて前記保持本体部に係合される押縁部材とを有し、
前記押縁部材は、見付け方向に延びる見付け面部と、前記見付け面部の見付け方向外端部から前記他方の枠材の前記見込み面部に沿って延びる延出片部と、前記延出片部よりも見付け方向内側に設けられ前記係合部に係合される被係合部とを有し、
前記係合部および被係合部は、互いに近づく方向に延びて形成されるとともに、この延出方向と交差する方向に弾性変形可能に構成され、
前記延出片部の見付け方向外側面が前記見込み面部の見付け方向内側面に対向して当接するように前記押縁部材が見込み方向に沿って前記保持本体部に係合するとともに前記面材の他側面に当接することで、前記面材の他の端縁を保持可能に構成されている面材支持構造。
【請求項２】
前記他方の枠材には、前記保持本体部の見付け方向内端部から前記押縁部材側に延びる当接片部が設けられ、
前記係合部は、前記当接片部よりも見付け方向外側に設けられ、
前記押縁部材は、前記見付け面部の見付け方向内端部から前記保持本体部側に折れ曲がった折曲面部と、前記折曲面部の前記保持本体部側端部から見付け方向外側に延びて前記保持本体部に対向する対向片部とを有し、
前記被係合部は、前記係合部の見付け方向外側から前記係合部に係合されるように、前記対向片部の先端から前記保持本体部側に折れ曲がって延びており、
前記係合部および被係合部のうちの少なくとも一方には、他方と係合するとともに見込み方向に対して傾斜した傾斜係合面が形成され、
前記折曲面部の前記保持本体部側端部と前記当接片部の先端との間に前記面材の他の端縁が挟持されることで、当該他の端縁を保持可能に構成されている請求項１に記載の面材支持構造。
【請求項３】
前記面材は、当該面材を撓ませつつ前記一方の枠材の第１面材保持部に保持させてから、前記他方の枠材の第２面材保持部において前記押縁部材を前記保持本体部に係合させて取り付けられる請求項１または請求項２に記載の面材支持構造。
【請求項４】
前記面材は、当該面材をけんどん式で前記一方の枠材の第１面材保持部に保持させてから、前記他方の枠材の第２面材保持部において前記押縁部材を前記保持本体部に係合させて取り付けられる請求項１または請求項２に記載の面材支持構造。
【請求項５】
請求項１から請求項４のいずれかに記載の面材支持構造を備えた建具であって、
建物に固定されて前記横枠材および縦枠材を構成する上枠、下枠および左右の縦枠と、これらの上枠、下枠および左右の縦枠の内部に支持された前記面材とで構成された固定面状体と、
建物に固定された枠体と、この枠体に開閉可能に支持されて前記横枠材および縦枠材を構成する上框、下框および左右の縦框と、これらの上框、下框および左右の縦框の内部に支持された前記面材とで構成された可動面状体と、
のうちの少なくとも一方を備えた建具。
【発明の詳細な説明】
【技術分野】
【０００１】
本発明は、面材支持構造および建具に関する。
【背景技術】
【０００２】
建具等に用いられる扉にガラス板等の板材（面材）を支持する支持構造として、扉本体に固定される第１板押え部材と、この第１板押え部材に係合可能な第２板押え部材とで板材を挟持する構造が提案されている（例えば、特許文献１参照）。
特許文献１に記載された支持構造では、第１板押え部材に見付け方向内側に突出した係合部が形成されており、この係合部に対して見付け方向内側から板材の側面に沿って第２板押え部材を係合させることで、第１板押え部材と第２板押え部材とが係合し、これらの押え部材間に板材の端縁が保持されるように構成されている。
【０００３】
【特許文献１】特開２００４−３０８２９５号公報
【発明の開示】
【発明が解決しようとする課題】
【０００４】
しかしながら、特許文献１に記載された支持構造では、見付け方向内側から第２板押え部材を第１板押え部材に係合させる構成であるため、保持部の間隔寸法が一定値となってしまい、板材の厚さ寸法の誤差を吸収することができず、板材がガタついたり、必要以上の挟持力が作用したりなどの不都合がある。さらに、板材の側面に沿って第２板押え部材を係合させるために、その取付作業時に第２板押え部材が板材の表面に擦ってしまって板材が傷付く可能性もある。
【０００５】
本発明の目的は、面材の寸法誤差に対応可能でかつ面材の傷が防止できる面材支持構造および建具を提供することにある。
【課題を解決するための手段】
【０００６】
本発明の面材支持構造は、上下一対の横枠材と左右一対の縦枠材とを枠組みした内部に面材を支持する面材支持構造であって、前記横枠材および縦枠材のうち、一方の枠材には、前記面材の端縁を保持する第１面材保持部が設けられ、他方の枠材には、前記面材の他の端縁を保持する第２面材保持部と、前記他方の枠材と一体に形成されて見込み方向に延びる見込み面部とが設けられ、前記第１面材保持部は、前記一方の枠材と一体かつ当該一方の枠材の長手方向に沿った溝状に形成され、前記第２面材保持部は、前記他方の枠材と一体かつ前記見込み面部の見込み方向端部から見付け方向内側に延びて形成されて前記面材の一側面に当接する保持本体部と、前記保持本体部に設けられた係合部と、前記他方の枠材と別体に形成されて前記保持本体部に係合される押縁部材とを有し、前記押縁部材は、見付け方向に延びる見付け面部と、前記見付け面部の見付け方向外端部から前記他方の枠材の前記見込み面部に沿って延びる延出片部と、前記延出片部よりも見付け方向内側に設けられ前記係合部に係合される被係合部とを有し、前記係合部および被係合部は、互いに近づく方向に延びて形成されるとともに、この延出方向と交差する方向に弾性変形可能に構成され、前記延出片部の見付け方向外側面が前記見込み面部の見付け方向内側面に対向して当接するように前記押縁部材が見込み方向に沿って前記保持本体部に係合するとともに前記面材の他側面に当接することで、前記面材の他の端縁を保持可能に構成されていることを特徴とする。
【０００７】
このような本発明によれば、第２面材保持部の押縁部材を見込み方向に沿って前記保持本体部に係合することで、面材の厚さ寸法に多少の誤差があっても面材を適正に保持することができるとともに、面材の表面に沿って押縁部材を保持本体部に取り付ける必要がないことで、面材表面に傷が付くことが防止できる。また、それぞれ一対の横枠材および縦枠材のうち、一方の枠材に第１面材保持部を設け、他方の枠材に第２面材保持部を設けたことで、溝状の第１面材保持部に面材の対向する一対の端縁を保持させた状態で、第２面材保持部の押縁部材を保持本体部に取り付けることができる。これに対して、従来の支持構造のように、四周の枠材を保持本体部と押縁部材とで構成した場合には、作業者が面材を所定位置に保持した状態で押縁部材を取り付ける必要があるため、作業性が劣ってしまっていた。本発明では、第１面材保持部に面材を保持させてから第２面材保持部の押縁部
材を取り付けるような作業手順が適用可能になるため、一人の作業者でも作業可能になり作業性が向上できる。
また、係合部および被係合部が互いに近づく方向に延びかつ延出方向と交差する方向に弾性変形可能に構成されていることで、押縁部材を保持本体部に取り付ける際に、係合部や被係合部の弾性変形によるばね力を利用して互いに係合させることができる。従って、面材の厚さ寸法の誤差によって係合位置が見込み方向に若干ずれたとしても、係合部と被係合部との係合が確保でき、押縁部材および保持本体部によって面材の端縁を確実に保持することができる。
【０００９】
さらに、本発明の面材支持構造では、前記他方の枠材には、前記保持本体部の見付け方向内端部から前記押縁部材側に延びる当接片部が設けられ、前記係合部は、前記当接片部よりも見付け方向外側に設けられ、前記押縁部材は、前記見付け面部の見付け方向内端部から前記保持本体部側に折れ曲がった折曲面部と、前記折曲面部の前記保持本体部側端部から見付け方向外側に延びて前記保持本体部に対向する対向片部とを有し、前記被係合部は、前記係合部の見付け方向外側から前記係合部に係合されるように、前記対向片部の先端から前記保持本体部側に折れ曲がって延びており、前記係合部および被係合部のうちの少なくとも一方には、他方と係合するとともに見込み方向に対して傾斜した傾斜係合面が形成され、前記折曲面部の前記保持本体部側端部と前記当接片部の先端との間に前記面材の他の端縁が挟持されることで、当該他の端縁を保持可能に構成されていることが好ましい。
このような構成によれば、係合部と被係合部とが傾斜係合面を介して係合されることで、係合位置が見込み方向に若干ずれたとしても、前述した弾性変形とあわせて係合状態が確保でき、面材の厚さ寸法の誤差を吸収することができる。従って、面材の厚さ寸法が所定寸法よりも若干小さい場合でも、面材のガタつきが防止できるとともに、面材の厚さ寸法が所定寸法よりも若干大きい場合でも、押縁部材を保持本体部に適正に取り付けて面材の端縁を保持させることができる。
【００１０】
また、本発明の面材支持構造では、前記面材は、当該面材を撓ませつつ前記一方の枠材の第１面材保持部に保持させてから、前記他方の枠材の第２面材保持部において前記押縁部材を前記保持本体部に係合させて取り付けられることが好ましい。また、本発明の面材支持構造では、前記面材は、当該面材をけんどん式で前記一方の枠材の第１面材保持部に保持させてから、前記他方の枠材の第２面材保持部において前記押縁部材を前記保持本体部に係合させて取り付けられることが好ましい。
このような構成によれば、面材を撓ませつつ第１面材保持部に保持させるか、あるいはけんどん式で第１面材保持部に保持させるかの取付構造が、面材の材質や厚さ寸法などに応じて選択可能になる。従って、例えば、樹脂製で厚さ寸法が比較的小さな面材の場合には、面材を撓ませつつ第１面材保持部に保持させることで、溝状の第１面材保持部の溝深さを大きくする必要がなくなり、その見付け方向に沿った面材のガタつきも防止することができる。一方、例えば、ガラス製で厚さ寸法が比較的大きな面材の場合には、けんどん式で第１面材保持部に保持させることで、容易に面材を建て込むことができる。
【００１１】
一方、本発明の建具は、前記いずれかの面材支持構造を備えた建具であって、建物に固定されて前記横枠材および縦枠材を構成する上枠、下枠および左右の縦枠と、これらの上枠、下枠および左右の縦枠の内部に支持された前記面材とで構成された固定面状体と、建物に固定された枠体と、この枠体に開閉可能に支持されて前記横枠材および縦枠材を構成する上框、下框および左右の縦框と、これらの上框、下框および左右の縦框の内部に支持された前記面材とで構成された可動面状体と、のうちの少なくとも一方を備えたことを特徴とする。
このような構成によれば、建具における固定面状体や可動面状体において、前述した面材支持構造によって面材を支持することで、面材の寸法誤差を吸収するとともに面材の傷つきを防止しつつ、確実に面材を保持することができる。
【発明を実施するための最良の形態】
【００１２】
以下、本発明の実施形態を図面に基づいて説明する。
図１は、本実施形態に係る建具である浴室出入り口用の片引き戸１を示す横断面図である。図２および図３は、片引き戸１を示す縦断面図であり、図２は、図１に矢視II−II線で示す断面図であり、図３は、図１に矢視III−III線で示す断面図である。
図１〜図３において、本実施形態の片引き戸１は、繊維強化プラスチック製の浴槽（不図示）や浴室床Ｆ１（防水パン）、浴室壁Ｗ等からなる浴室ユニットで構成された浴室（浴室内部）と、この浴室に隣接する脱衣室（浴室外部）との出入り口に用いられる建具である。この片引き戸１は、上枠２、下枠３および左右の縦枠４，５を枠組みした枠体である建具枠６と、この建具枠６内部に片引き形式に開閉可能に支持された１枚の可動面状体である障子１０と、建具枠６内部に固定される固定面状体としての固定面材２０とを備えて構成されている。建具枠６の上枠２、下枠３および縦枠４，５は、脱衣室の床材Ｆ２や額縁材等に固定されており、建具枠６の内部には、上枠２と下枠３とに渡って上下に延びる縦骨７が架設されている。
【００１３】
そして、建具枠６の内部における図１の左側略半分の領域には、左右の縦枠のうち左側（図１の左側）の縦枠４と縦骨７との間に出入り用の開口部６Ａが形成され、建具枠６の内部における図１の右側略半分の領域に固定面材２０が支持されている。
障子１０は、上框１１、下框１２および左右の縦框１３，１４を四周框組みした障子枠１５と、障子枠１５に支持される通気開口を有した通気面材１６（換気ガラリ）、および半透明板材からなる樹脂パネル１７とで構成されている。そして、一方（図１の左側）の縦框１３（戸先框）には、障子１０を開閉操作するためのハンドル１８が固定されている。このような障子１０は、上枠２に設けられた上レール２Ａと下枠３に設けられた下レール３Ａとに、それぞれ上框１１と下框１２の戸車とが案内されて左右にスライド開閉できるようになっている。そして、障子１０は、縦框１３が縦枠４に当接し、かつ縦框１４が縦骨７の脱衣室側に重なって開口部６Ａを覆う閉鎖位置と、当該障子１０の略全体が固定面材２０の脱衣室側に重なり、かつ縦框１３が縦骨７に重なる開放位置と、の間を開閉移動可能に構成されている。
【００１４】
次に、固定面材２０の構造について、図４および図５も参照して詳しく説明する。ここで、図４は、片引き戸１における固定面材２０の部分を拡大して示す横断面図であり、図５は、固定面材２０における縦枠材としての縦骨７および縦骨アタッチメント２３を拡大して示す横断面図である。
固定面材２０は、図１、図３〜図５に示すように、上枠２、下枠３、縦骨７および縦枠５と、これらに固定される上下左右のアタッチメント（上枠アタッチメント２１、下枠アタッチメント２２、縦骨アタッチメント２３および縦枠アタッチメント２４）と、これらに支持される面材としての固定パネル２５とを有して構成されている。
【００１５】
すなわち、上枠２および上枠アタッチメント２１と、下枠３および下枠アタッチメント２２とによって本発明の上下一対の横枠材が構成され、縦骨７および縦骨アタッチメント２３と、縦枠５および縦枠アタッチメント２４とによって本発明の左右一対の縦枠材が構成されている。そして、本実施形態において、上枠アタッチメント２１と下枠アタッチメント２２とによって一方の枠材が構成されるとともに、これら一方の枠材には、固定パネル２５の上下端縁を保持する第１面材保持部２６，２７が設けられている。また、縦骨７および縦骨アタッチメント２３と縦枠５および縦枠アタッチメント２４とによって他方の枠材が構成されるとともに、これら他方の枠材には、固定パネル２５の左右端縁（他の端縁）を保持する第２面材保持部２８，２９が設けられている。
【００１６】
図３に示すように、上枠２には、浴室側に突出する上下一対の係合突起２Ｂが形成され、これらの係合突起２Ｂに上枠アタッチメント２１が係合固定されている。この上枠アタッチメント２１は、その下部にて下方に開口するとともに長手方向に沿って溝状に形成された保持溝部２１Ａを有し、この保持溝部２１Ａに固定パネル２５の上端縁が挿入可能に構成されている。下枠３には、下レール３Ａの浴室側に対向した立上片部３Ｂと、この立上片部３Ｂに連続して下方に延びる垂下片部３Ｃとが形成され、これらの立上片部３Ｂおよび垂下片部３Ｃに下枠アタッチメント２２が支持されている。この下枠アタッチメント２２は、その上部にて上方に開口するとともに長手方向に沿って溝状に形成された保持溝部２２Ａを有し、この保持溝部２２Ａに固定パネル２５の下端縁が挿入可能に構成されている。また、下枠アタッチメント２２には、下方に延びる固定片部２２Ｂと、下枠３の立上片部３Ｂを覆う折曲片部２２Ｃとを有して形成され、折曲片部２２Ｃが下枠３の立上片部３Ｂに載置されるとともに、固定片部２２Ｂが浴室側からのビス２２Ｄで下枠３の垂下片部３Ｃに固定されている。
【００１７】
図１、図４および図５に示すように、縦骨７には、脱衣室側にて見付け方向に延びる見付け面部７Ａと、この見付け面部７Ａから見込み方向浴室側に延びる見込み面部７Ｂと、この見込み面部７Ｂの先端から折れ曲がって縦枠５側に延びる保持本体部としての保持面部７Ｃとが形成されている。そして、保持面部７Ｃに縦骨アタッチメント２３が係合して取り付けられることで、保持面部７Ｃと縦骨アタッチメント２３との間に固定パネル２５の側端縁が挟持されるようになっており、つまり縦骨アタッチメント２３によって第２面材保持部２８における押縁部材が構成されている。一方、縦枠５には、見込み方向に延びる見込み面部５Ａと、この見込み面部５Ａの浴室側先端から折れ曲がって縦骨７側に延びる保持本体部としての保持面部５Ｃとが形成されている。そして、保持面部５Ｃに縦枠アタッチメント２４が係合して取り付けられることで、保持面部５Ｃと縦枠アタッチメント２４との間に固定パネル２５の側端縁が挟持されるようになっており、つまり縦枠アタッチメント２４によって第２面材保持部２９における押縁部材が構成されている。
【００１８】
このような左右の第２面材保持部２８，２９において、縦骨７の保持面部７Ｃと縦枠５の保持面部５Ｃとは、左右対称で略同一断面に形成されるとともに、縦骨アタッチメント２３と縦枠アタッチメント２４とは、同一断面に形成された部材が反転配置されている。具体的には、保持面部５Ｃ，７Ｃには、その先端から脱衣室側に延びて固定パネル２５の浴室側側面に当接可能な当接片部５Ｄ，７Ｄと、保持面部５Ｃ，７Ｃの途中位置から脱衣室側に延びる係合部としての係合片部５Ｅ，７Ｅとが形成されている。また、縦骨アタッチメント２３および縦枠アタッチメント２４は、脱衣室側にて見付け方向に延びる見付け面部２３Ａ，２４Ａと、この見付け面部２３Ａ，２４Ａの見付け方向外端部から見込み面部７Ｂ，５Ａに沿って浴室側に延びる延出片部２３Ｂ，２４Ｂと、見付け面部２３Ａ，２４Ａの見付け方向内端部から浴室側に折れ曲がった折曲面部２３Ｃ，２４Ｃとを有している。さらに、縦骨アタッチメント２３および縦枠アタッチメント２４には、折曲面部２３Ｃ，２４Ｃの浴室側端部から見付け方向外側に延びて保持面部７Ｃ，５Ｃに対向する対向片部２３Ｄ，２４Ｄと、対向片部２３Ｄ，２４Ｄの先端から浴室側に折れ曲がって延び係合片部７Ｅ，５Ｅに係合される被係合部としての係合片部２３Ｅ，２４Ｅとが形成されている。
【００１９】
以下、保持面部５Ｃ，７Ｃ、縦骨アタッチメント２３および縦枠アタッチメント２４の詳細構造について、図５に示す第２面材保持部２８に基づいて説明し、略同様の構成を有した第２面材保持部２９側の説明を省略する。
第２面材保持部２８において、押縁部材である縦骨アタッチメント２３は、図５に示すように、縦骨７の保持面部７Ｃに対して見込み方向脱衣室側から取り付け可能になっている。そして、縦骨アタッチメント２３における折曲面部２３Ｃの浴室側端部には、固定パネル２５の脱衣室側側面に当接可能な当接面２３１が形成されており、この当接面２３１と保持面部７Ｃの当接片部７Ｄ先端との間に、側端縁部分が挟持されて固定パネル２５が保持されるようになっている。また、縦骨アタッチメント２３における延出片部２３Ｂの浴室側先端部には、外側（見込み面部７Ｂ側であり、縦枠アタッチメント２４においては見込み面部５Ａ側）に膨出した膨出部２３２が形成されており、縦骨アタッチメント２３の取付時において、縦骨７の見込み面部７Ｂ（または縦枠５の見込み面部５Ａ）との摺動摩擦抵抗が小さくできるようになっている。さらに、延出片部２３Ｂの脱衣側端部には、縦骨７の見込み面部７Ｂ（縦枠アタッチメント２４においては見込み面部５Ａ）に当接する第２当接面２３３が形成されており、固定パネル２５を保持した際の反力が第２当接面２３３を介して縦骨７（または縦枠５）に伝達されるようになっている。
【００２０】
また、縦骨アタッチメント２３における係合片部２３Ｅの浴室側先端部は、保持面部７Ｃの係合片部７Ｅ（縦枠アタッチメント２４においては係合片部５Ｅ）に向かって三角形状に突出した矢尻形状に形成されている。すなわち、係合片部２３Ｅの先端側には、浴室側から脱衣室側に向かって係合片部７Ｅ側に傾斜した第１傾斜面部２３４が形成され、この第１傾斜面部２３４よりも基端側には、浴室側から脱衣室側に向かって係合片部７Ｅから離れる側に傾斜した第２傾斜面部２３５が形成されている。一方、係合片部７Ｅの脱衣室側先端部も係合片部２３Ｅに向かって突出した矢尻形状に形成されている。すなわち、係合片部７Ｅの先端側には、脱衣室側から浴室側に向かって係合片部２３Ｅ側に傾斜した第３傾斜面部７１が形成され、この第３傾斜面部７１よりも基端側には、脱衣室側から浴室側に向かって係合片部２３Ｅから離れる側に傾斜した第４傾斜面部７２が形成されている。
【００２１】
そして、縦骨アタッチメント２３を浴室側に向かって保持面部７Ｃに取り付ける際には、第１傾斜面部２３４と第３傾斜面部７１とが摺接し、対向片部２３Ｄおよび係合片部２３Ｅが係合片部７Ｅから離れる側に弾性変形するとともに、係合片部７Ｅが係合片部２３Ｅから離れる側に弾性変形する。これにより、係合片部２３Ｅの第１傾斜面部２３４が係合片部７Ｅの第３傾斜面部７１を超えて、係合片部２３Ｅの第２傾斜面部２３５と係合片部７Ｅの第４傾斜面部７２とが摺接することとなる。さらに、縦骨アタッチメント２３を浴室側に押し込むことで、第２傾斜面部２３５が第４傾斜面部７２に摺接しながら係合片部２３Ｅと係合片部７Ｅとが互いに近づいて係合する。以上のように、第４傾斜面部７２および第２傾斜面部２３５によって、傾斜係合面が形成され、これらが互いに摺接するとともに、係合片部７Ｅ、対向片部２３Ｄおよび係合片部２３Ｅが弾性変形することで、縦骨アタッチメント２３の見込み位置が多少ずれても係合片部７Ｅ，２３Ｅ同士の係合が外れず、かつ第４傾斜面部７２と第２傾斜面部２３５との当接状態（係合状態）が維持できるようになっている。
【００２２】
次に、固定面材２０における固定パネル２５の取付手順について、図６および図７も参照して詳しく説明する。ここで、図６(Ａ)〜（Ｃ）は、固定パネル２５の取付手順を示す断面図であり、図７は、固定パネル２５の他の取付手順を示す断面図である。
この際、図６に示す取付手順は、固定パネル２５が樹脂製などで比較的厚さ寸法が小さく、面外方向に変形可能な面材の場合に好適な取付方法であり、図７に示す取付手順は、固定パネル２５がガラス製のもの、あるいは樹脂製でも比較的厚さ寸法が大きいもので、面外方向に変形しにくい面材の場合に好適な取付方法である。
【００２３】
先ず、図６(Ａ)に示すように、上枠２および下枠３にそれぞれ上枠アタッチメント２１および下枠アタッチメント２２を固定しておき、脱衣室側から固定パネル２５の下端縁を下枠アタッチメント２２の保持溝部２２Ａに挿入する。
次に、図６(Ｂ)に示すように、固定パネル２５を脱衣室側に凸となるように撓ませつつ、固定パネル２５の上端縁を上枠アタッチメント２１の保持溝部２１Ａに挿入し、これにより固定パネル２５の上下端縁が上下の第１面材保持部２６，２７に保持されることとなる。
次に、図６(Ｃ)に示すように、縦骨７および縦枠５の保持面部７Ｃ，５Ｃに縦骨アタッチメント２３および縦枠アタッチメント２４を脱衣室側から取り付け、これにより固定パネル２５の左右端縁が左右の第２面材保持部２８，２９に保持されることとなる。
以上によって固定パネル２５の取り付けが完了する。
【００２４】
一方、図７(Ａ)に示すように、上枠２および下枠３にそれぞれ上枠アタッチメント２１および下枠アタッチメント２２を固定しておき、脱衣室側から固定パネル２５の上端縁を上枠アタッチメント２１の保持溝部２１Ａに挿入する。この際、保持溝部２１Ａの深さ寸法（高さ寸法）は、図６の場合よりも大きく形成されており、所定の取り付け高さよりも上方まで固定パネル２５を持ち上げる。
次に、図７(Ｂ)に示すように、固定パネル２５の下端縁を下枠アタッチメント２２の保持溝部２２Ａの上方位置に合わせてから、下降させて保持溝部２２Ａに挿入する。すなわち、上下けんどん式で固定パネル２５の上下端縁が保持溝部２１Ａ，２２Ａに挿入され、これにより固定パネル２５の上下端縁が上下の第１面材保持部２６，２７に保持されることとなる。
次に、図７(Ｃ)に示すように、縦骨７および縦枠５の保持面部７Ｃ，５Ｃに縦骨アタッチメント２３および縦枠アタッチメント２４を脱衣室側から取り付け、これにより固定パネル２５の左右端縁が左右の第２面材保持部２８，２９に保持されることとなる。
以上によって固定パネル２５の取り付けが完了する。
【００２５】
このような本実施形態によれば、以下のような効果がある。
（１）すなわち、第２面材保持部２８，２９において、縦骨アタッチメント２３および縦枠アタッチメント２４を脱衣室側から浴室側に向かって見込み方向に保持面部７Ｃ，５Ｃに係合することで、固定パネル２５の厚さ寸法に多少の誤差があっても固定パネル２５を挟持して適正に保持できる。さらに、固定パネル２５の表面に沿って縦骨アタッチメント２３および縦枠アタッチメント２４を取り付ける構造ではないことで、固定パネル２５の表面に傷が付くことが防止できる。
【００２６】
（２）また、上下一対の第１面材保持部２６，２７に固定パネル２５の上下端縁を保持させてから、左右の第２面材保持部２８，２９において縦骨アタッチメント２３および縦枠アタッチメント２４を取り付ける取付手順としたことで、第１面材保持部２６，２７に固定パネル２５を保持させた状態で、縦骨アタッチメント２３および縦枠アタッチメント２４を取り付けることができる。従って、縦骨アタッチメント２３および縦枠アタッチメント２４の取付作業の際に作業者が固定パネル２５を所定位置に保持しておく必要がなく、一人の作業者でも作業可能になり作業性が向上できる。
【００２７】
（３）また、第２面材保持部２８，２９における縦骨アタッチメント２３および縦枠アタッチメント２４の取り付けの際に、係合片部７Ｅ、対向片部２３Ｄおよび係合片部２３Ｅが弾性変形するとともに、第２傾斜面部２３５と第４傾斜面部７２とが互いに摺接するようになっている。従って、固定パネル２５の厚さ寸法誤差によって縦骨アタッチメント２３および縦枠アタッチメント２４の見込み位置が多少ずれたとしも、第２傾斜面部２３５と第４傾斜面部７２との当接状態、すなわち係合片部７Ｅ，２３Ｅ同士の係合状態が適正に維持でき、固定パネル２５を確実に保持することができる。
【００２８】
（４）また、図６に示すような固定パネル２５を撓ませつつ上下の第１面材保持部２６，２７に保持させる取付手順を採用した場合には、保持溝部２１Ａの深さ寸法を大きくする必要がなくなり、見付け方向に沿った固定パネル２５のガタつきも防止することができる。一方、図７に示すような固定パネル２５をけんどん式で第１面材保持部２６，２７に保持させる取付手順を採用した場合には、固定パネル２５の建て込みが容易にでき、作業性を向上させることができる。
【００２９】
なお、本発明は前記実施形態の構成に限定されるものではない。
例えば、前記実施形態では、建具として、浴室出入り口用の片引き戸１を例示して説明したが、本発明の建具は、浴室出入り口用の建具に限らず、通常のサッシ窓や出入り口用建具、その他の各種開口部用建具などに利用可能である。また、１枚の可動面材（障子）を有した片引き戸１に限らず、２枚以上の可動面材が同一方向に開閉自在に支持されたものでもよく、２枚の面材が各々逆方向に片引き形式（引き分け形式）に支持されて左右両側に固定面材が設けられた形態のものでもよい。さらには、スライド開閉可能な可動面材を有したものに限らず、回動開閉可能な可動面材を有したものでもよく、また開閉不能な固定面材を有したものでもよい。
【００３０】
また、前記実施形態では、本発明の支持構造によって固定面材２０の固定パネル２５を支持する構成を説明したが、本発明の支持構造によって可動面状体としての障子１０の面材（樹脂パネル１７）を支持してもよい。すなわち、上框１１および下框１２によって上下一対の横枠材が構成され、左右の縦框１３，１４によって左右一対の縦枠材が構成されていてもよい。
また、前記実施形態では、上枠アタッチメント２１と下枠アタッチメント２２とによって一方の枠材を構成し、これら一方の枠材に第１面材保持部２６，２７を設け、縦骨７および縦骨アタッチメント２３と縦枠５および縦枠アタッチメント２４とによって他方の枠材を構成し、これら他方の枠材に第２面材保持部２８，２９を設けたが、これに限らず、左右の縦枠材（縦骨７および縦枠５）に第１面材保持部を設け、上下の横枠材（上枠２および下枠３）に第２面材保持部を設けてもよい。また、左右一対の縦枠材としては、縦骨７と縦枠５との組合せに限らず、縦枠同士の組合せでもよく、また複数の縦骨が設けられる場合には、これら複数の縦骨のうちの一対の組合せでもよい。
【００３１】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含
まれるものである。
【図面の簡単な説明】
【００３２】
【図１】本発明の実施形態に係る建具を示す横断面図である。
【図２】前記建具を示す縦断面図であり、図１に矢視II−II線で示す断面図である。
【図３】前記建具を示す縦断面図であり、図１に矢視III−III線で示す断面図である。
【図４】前記建具における固定面材部分を拡大して示す横断面図である。
【図５】前記固定面材における縦枠材を拡大して示す横断面図である。
【図６】(Ａ)〜（Ｃ）は、前記建具における面材の取付手順を示す断面図である。
【図７】(Ａ)〜（Ｃ）は、前記面材の他の取付手順を示す断面図である。
【符号の説明】
【００３３】
１…片引き戸（建具）、２…上枠、３…下枠、４，５…縦枠、５Ｃ…保持面部（保持本体部）、５Ｅ…係合片部（係合部）、６…建具枠（枠体）、７…縦骨、７Ｃ…保持面部（保持本体部）、７Ｅ…係合片部（係合部）、１０…障子（可動面材）、２０…固定面材（固定面状体）、２１…上枠アタッチメント、２２…下枠アタッチメント、２３…縦骨アタッチメント（押縁部材）、２４…縦枠アタッチメント（押縁部材）、２３Ｅ，２４Ｅ…係合片部（被係合部）、２５…固定パネル（面材）、２６，２７…第１面材保持部、２８，２９…第２面材保持部、７２…第４傾斜面部（傾斜係合面）、２３５…第２傾斜面部（傾斜係合面）。
【図１】
0005006777.tif 000002
【図２】
0005006777.tif 000003
【図３】
0005006777.tif 000004
【図４】
0005006777.tif 000005
【図５】
0005006777.tif 000006
【図６】
0005006777.tif 000007
【図７】
0005006777.tif 000008